(57)【特許請求の範囲】
【請求項１】
谷部を介して山部が列設された折板の屋根において、
前記折板の山部間に開口を形成し、その開口の両側における山部の上面間を跨ぐように、前記折板または建物の骨格にはフレームを支持するとともに、前記開口内に位置するようにフレームには透明ガラス板または透明樹脂板よりなる採光板を支持し、その採光板の上面において前記折板の山部間には透明樹脂板または半透明樹脂板よりなる被覆板を被せ、前記フレーム及び被覆板はそれらの両側縁が山部の側面まで延長され、前記フレーム及び被覆板を山部の側面位置において互いに固定する部材を備えることを特徴とする折板用の明かり採り。
【請求項２】
前記採光板と被覆板との間に空間を設けたことを特徴とする請求項１に記載の折板用の明かり採り。
【請求項３】
前記被覆板が山形状に形成されていることを特徴とする請求項２に記載の折板用の明かり採り。
【請求項４】
前記山部が延びる方向にて前記開口の両端位置には、前記谷部内に水止め板が設けられていることを特徴とする請求項１〜３のいずれか一項に記載の折板用の明かり採り。
【請求項５】
前記折板は山部の延びる長さ方向に向かって下降傾斜し、前記開口における下降傾斜方向の下方側には、前記谷部内に風止め板が設けられていることを特徴とする請求項１〜４のいずれか一項に記載の折板用の明かり採り。
【請求項６】
前記折板は山部が延びる長さ方向に向かって下降傾斜し、前記被覆板の傾斜方向上部側端部を含む屋根の山部間を雨カバーの傾斜方向下部側端部により覆い、雨カバーの傾斜方向上部側端部を閉鎖したことを特徴とする請求項１〜５のいずれか一項に記載の折板用の明
かり採り。
【発明の詳細な説明】
【技術分野】
【０００１】
この発明は、例えば工場や倉庫等の建物において、建物内部への採光のために屋根の一部に設けられる折板用の明かり採りに関するものである。
【背景技術】
【０００２】
従来、この種の折板用の明かり採りとしては、例えば特許文献１〜特許文献３に開示されるような構成が提案されている。特許文献１及び特許文献２に記載の従来構成においては、平板を横葺きしてなる横葺き屋根の一部に開口部が形成され、その開口部に採光板、網入り採光板、合成樹脂板等よりなる透光板が被覆装着されている。
【０００３】
また、特許文献３に記載の従来構成においては、波板状の屋根に屋根開口部が形成されるとともに、天井部に天井開口部が形成されている。屋根開口部と天井開口部との間には筒状のユニットが装着され、そのユニットの上端開口縁には採光板が被覆装着されている。ユニットの上端外周縁と屋根開口部の周縁との間には、水切りカバー、水切りシート等よりなる水切り構造が施されている。
【先行技術文献】
【特許文献】
【０００４】
【特許文献１】特開平６−１０４６２号公報
【特許文献２】特開平１０−２０６５号公報
【特許文献３】特開昭６３−６７３６３号公報
【発明の概要】
【発明が解決しようとする課題】
【０００５】
ところが、これらの従来構成においては、次のような問題があった。すなわち、特許文献１及び特許文献２に記載の従来構成は、平板を横葺きしてなる横葺き屋根に天窓を設けた構成であるため、谷部を介して山部が列設された折板よりなる屋根の明かり採り構成には適用することが困難である。また、特許文献３に記載の従来構成では、採光板を設けたユニットを屋根開口部と天井開口部との間に装着した後、ユニットの上端外周縁と屋根開口部の周縁との間に水切りカバー、水切りシート等よりなる水切り構造を施す必要がある。そのため、構造が複雑であるとともに、施工及びメンテナンスが煩雑になるという問題があった。
【０００６】
この発明は、このような従来の技術に存在する問題点に着目してなされたものである。その目的は、構造が簡単であるとともに、施工及びメンテナンスを容易に行うことができる折板用の明かり採りを提供することにある。
【課題を解決するための手段】
【０００７】
上記の目的を達成するために、この発明は、谷部を介して山部が列設された折板の屋根において、前記折板の山部間に開口を形成し、その開口の両側における山部の上面間を跨ぐように、前記折板または建物の骨格にはフレームを支持するとともに、前記開口内に位置するようにフレームには透明ガラス板または透明樹脂板よりなる採光板を支持し、その採光板の上面において前記折板の山部間には透明樹脂板または半透明樹脂板よりなる被覆板を被せ、前記フレーム及び被覆板はそれらの両側縁が山部の側面まで延長され、前記フレーム及び被覆板を山部の側面位置において互いに固定する部材を備えることを特徴としている。
【０００８】
従って、この発明の折板用の明かり採りにおいては、フレーム及び採光板が屋根の開口に配置された状態で、そのフレーム及び採光板の上面が被覆板によって覆われる。このため、採光板をフレームに対してシールする必要がなく、折板用の明かり採りの構造を簡略化することができる。また、採光板を設けたフレームを屋根の開口に配置した後、採光板の上面を被覆板によって覆うだけでよいため、折板用の明かり採りの施工及びメンテナンスを容易に行うことができる。
【０００９】
また、フレーム及び被覆板の両側縁を山部の側面まで延長することにより、折板の山部間にフレームを安定に支持することができるとともに、被覆板の延長部によりフレーム及び採光板を効果的に覆うことができて、被覆板の両側縁からの雨水等の侵入を防止することができる。
【００１０】
また、フレーム及び被覆板を山部の側面位置において互いに固定することにより、被覆板をフレームに対して簡単に着脱することができて、折板用の明かり採りの施工及びメンテナンスを一層容易に行うことができる。
【００１１】
前記の構成において、前記採光板と被覆板との間に空間を設けるとよい。このように構成した場合には、採光板と被覆板との間の空間により大きな容量の空気層を確保することができて、高い断熱性能を得ることができる。また、寒冷地においては、前記空気層によって採光板の内面側と外面側との温度差を抑制して、採光板の内面の結露を防止することができる。
【００１２】
前記の構成において、前記被覆板を山形状に形成するとよい。このように構成した場合には、寒冷地において被覆板の外面に積もる雪を山形状の斜面に沿って自然落下させることができる。
前記の構成において、前記山部が延びる方向にて前記開口の両端位置には、前記谷部内に水止め板が設けられているとよい。
前記の構成において、前記折板は山部の延びる長さ方向に向かって下降傾斜し、前記開口における下降傾斜方向の下方側には、前記谷部内に風止め板が設けられているとよい。
前記の構成において、前記折板は山部が延びる長さ方向に向かって下降傾斜し、前記被覆板の傾斜方向上部側端部を含む屋根の山部間を雨カバーの傾斜方向下部側端部により覆い、雨カバーの傾斜方向上部側端部を閉鎖するとよい。
【発明の効果】
【００１３】
以上のように、この発明によれば、折板用の明かり採りとして構造が簡単であるとともに、施工及びメンテナンスを容易に行うことができるという効果を発揮する。
【図面の簡単な説明】
【００１４】
【図１】第１実施形態の折板用の明かり採りを示す簡略分解斜視図。
【図２】第１実施形態の折板用の明かり採りを示す要部平面図。
【図３】図２の折板用の明かり採りにおいて被覆板及び雨カバーを取り外した状態を示す要部平面図。
【図４】（ａ）は図２の４−４線における部分断面図、（ｂ）は折板片の拡大断面図。
【図５】図４（ａ）の５−５線における部分断面図。
【図６】図４の一部を拡大して示す断面図。
【図７】図６の７−７線における部分断面図。
【図８】図７の８−８線における部分断面図。
【図９】図７の９−９線における部分断面図。
【図１０】図７の１０−１０線における部分断面図。
【図１１】第２実施形態の折板用の明かり採りを示す要部断面図。
【図１２】図１１の１２−１２線における部分断面図。
【図１３】第３実施形態の折板用の明かり採りを示す簡略分解斜視図。
【図１４】第３実施形態の折板用の明かり採りの要部断面図。
【図１５】図１４の１５−１５線における部分断面図。
【発明を実施するための形態】
【００１５】
（第１実施形態）
以下に、この発明を具体化した折板用の明かり採りの第１実施形態を、図１〜図１０に従って説明する。
【００１６】
図４（ａ）及び図５に示すように、この実施形態では、工場や倉庫等の建物における骨格としての複数の梁２１上に受け材２２を介して、図１に示す屋根２３が図２及び図５中の矢印Ｐ方向に向かって緩く下降傾斜するように敷設されている。屋根２３は谷部２４ａを介して山部２４ｂが列設された折板２４により構成され、その折板２４の谷部２４ａ及び山部２４ｂが前記矢印Ｐ方向に沿って平行に延びるように配置されている。
【００１７】
図４（ｂ）に示すように、折板２４は、複数の折板片２４Ａを幅方向の両側縁において連結することにより構成されている。各折板片２４Ａにおける幅方向の中央部には前記谷部２４ａが形成され、幅方向の両側縁には前記山部２４ｂの半部分が形成されている。折板片２４Ａの幅方向の両側端縁部には、連結部２４ｃ，２４ｄが折り曲げ形成されている。そして、梁２１の受け材２２上に複数の折板片２４Ａが並設されるとともに、隣接する折板片２４Ａの連結部２４ｃ，２４ｄが相互にハゼ連結されることによって、折板２４よりなる屋根２３が形成されている。
【００１８】
図１〜図５に示すように、前記建物屋根２３の所要の位置において、折板２４の隣接する山部２４ｂ間には、折板用の明かり採り用の開口２５が形成されている。この開口２５は、並設状態の複数枚の折板片２４Ａのうちで、任意位置の１枚の折板片２４Ａをその長さ方向において、前記梁２１の配置間隔分だけ切断除去することによって形成され、矢印Ｐ方向に延びる長方形をなしている。
【００１９】
図４〜図７に示すように、前記開口２５の長さ方向の両端位置において、一対の梁２１の受け材２２上には各一対合計４個の支持ブラケット２６が固定されている。図６に示すように、各支持ブラケット２６の内側上部には、支持板２７がネジ２８及びナット２９により取り付けられている。支持板２７の上端部には、ハゼ部２７ａが折り曲げ形成されている。そして、このハゼ部２７ａが開口２５の幅方向の両側縁における折板片２４Ａの連結部２４ｃ，２４ｄに係合されることにより、開口２５の両側に位置する折板片２４Ａの両側端縁が支持板２７及び支持ブラケット２６を介して、梁２１の受け材２２上に支持されている。
【００２０】
図１及び図６に示すように、前記開口２５の両側における折板片２４Ａの山部２４ｂの上面間を跨ぐように、折板２４上には明かり採りフレーム３０が支持されて、複数のネジ３１により固定されている。この明かり採りフレーム３０は、図１、図３、図６及び図７に示すように、開口２５の両側に位置する折板片２４Ａの山部２４ｂの上面に沿って長さ方向に延長配置された一対の縦枠部３２と、両縦枠部３２の内側縁間に所定間隔おきに架設された複数の横枠部３３とより構成されている。図１及び図６に示すように、明かり採りフレーム３０の両縦枠部３２の外側縁には、各折板片２４Ａの山部２４ｂの側面中央部付近まで延びる延長部３２ａが形成されている。延長部３２ａの先端縁には、内側に向かって折り返し部３２ｂが形成されている。
【００２１】
図１、図６及び図７に示すように、前記開口２５内に位置するように、明かり採りフレーム３０の横枠部３３間には、透明ガラス板または透明樹脂板よりなる複数の採光板３４がシール材３５を介して配置されている。採光板３４の上面は、明かり採りフレーム３０の上端面と同一高さに位置している。そして、これらの採光板３４により、開口２５のほぼ全体が塞がれている。採光板３４の上面に対して近接配置されるように、開口２５の両側に位置する折板片２４Ａの山部２４ｂ間にはポリカーボネート等の透明樹脂板または半透明樹脂板よりなる被覆板３６が被覆装着されている。被覆板３６の両側縁には、両折板片２４Ａの山部２４ｂの側面中央部付近まで延びる延長部３６ａが形成されている。延長部３６ａの先端縁には、明かり採りフレーム３０の縦枠部３２の折り返し部３２ｂよりも下方位置において内側に向かって折り曲げ部３６ｂが形成されている。そして、被覆板３６の両延長部３６ａが明かり採りフレーム３０の両縦枠部３２の延長部３２ａに対して、金属製の補強板４６とともに複数のネジ３７及びナット３８により固定されている。この場合、ネジ３７の頭部が補強板４６の外面側に位置するように配置されている。
【００２２】
図７に示すように、前記開口２５の長さ方向の両端位置において、切断された折板片２４Ａの端縁開口部内には、一対の水止め板３９が配置されている。図８に示すように、各水止め板３９の両側縁及び下端縁と折板片２４Ａの谷部２４ａの内面との間には、シール材４０が充填されている。そして、この水止め板３９により、開口２５の長さ方向の両端位置における折板片２４Ａの端縁開口部から開口２５内への雨水等の侵入が防止される。
【００２３】
図７に示すように、下降傾斜方向Ｐの下方側に配置された一方の水止め板３９の下部に隣接するように、折板片２４Ａの谷部２４ａ内には、風止め板４１が配置されている。図９に示すように、風止め板４１の両側縁と折板片２４Ａの谷部２４ａの内面との間には、シール材４２が充填されている。そして、この風止め板４１により、開口２５の長さ方向の下部側における折板片２４Ａの端縁開口部が遮断されて、その端縁開口部から開口２５内への風の侵入が抑止される。また、風止め板４１の下端縁と折板片２４Ａの谷部２４ａの内面との間には隙間４３が形成され、風止め板４１と水止め板３９との間に雨水等が侵入した場合、その雨水等が隙間４３から排出される。
【００２４】
図７及び図９に示すように、前記風止め板４１に近接配置されるように、開口２５の幅方向の両側に位置する折板片２４Ａの山部２４ｂの上面と被覆板３６の下面との間には、一対の封止材４４が介装されている。封止材４４の下面には、折板片２４Ａの山部２４ｂ上に突出する連結部２４ｃ，２４ｄに嵌着するための嵌合溝部４４ａが形成されている。
【００２５】
図２、図３、図７及び図１０に示すように、前記被覆板３６に対して傾斜方向Ｐの上方側において被覆板３６の上面に重合した状態で配置されように、開口２５の両側に位置する折板片２４Ａの山部２４ｂ間には雨カバー４５が被覆装着されている。雨カバー４５の両側縁には、両折板片２４Ａの山部２４ｂの側面中央部付近まで延びる延長部４５ａが形成されている。延長部４５ａの先端縁には、被覆板３６の折り曲げ部３６ｂよりも下方位置において山部２４ｂの側面に向かって折り曲げ部４５ｂが形成されている。そして、この雨カバー４５により、被覆板３６の傾斜方向Ｐの上方側に位置する折板片２４Ａの谷部２４ａが覆われている。また、この雨カバー４５の傾斜方向Ｐの上方側の端部は、棟など（図示しない）によって閉鎖されている。このため、折板２４の下降傾斜方向Ｐの上方側に配置された水止め板３９の上流側への雨水等の侵入が抑制される。それとともに、折板片２４Ａの端縁開口部から開口２５内への風の侵入が抑制される。
【００２６】
従って、この実施形態においては、以下の効果がある。
（１）  この実施形態の折板用の明かり採りにおいては、折板２４よりなる屋根２３に開口２５が形成され、その開口２５に複数の採光板３４を支持した明かり採りフレーム３０が、開口２５の両側に位置する折板片２４Ａの山部２４ｂの上面間を跨ぐように配置されている。そして、明かり採りフレーム３０及び採光板３４を覆うように、開口２５の両側に位置する折板片２４Ａの山部２４ｂ間に被覆板３６が配置されている。このため、採光板３４を明かり採りフレーム３０に対してシールする必要がなく、折板用の明かり採りの構造を簡略化することができる。
【００２７】
（２）  この実施形態においては、明かり採りフレーム３０に複数の採光板３４を支持した状態で、その明かり採りフレーム３０を屋根２３上の開口２５に装着した後、その上面を覆うように被覆板３６をネジ３７等により取り付ければよい。よって、折板用の明かり採りの施行及びメンテナンスを容易に行うことができる。
【００２８】
（３）  この実施形態の折板用の明かり採りにおいては、明かり採りフレーム３０の縦枠部３２及び被覆板３６の両側縁に、折板２４の山部２４ｂの側面まで延びる延長部３２ａ，３６ａが形成されている。このため、折板２４の山部２４ｂ間に明かり採りフレーム３０を安定に支持することができるとともに、被覆板３６の延長部３６ａにより明かり採りフレーム３０及び採光板３４を効果的に覆うことができて、被覆板３６の両側縁からの雨水等の侵入を防止することができる。
【００２９】
（４）  この実施形態の折板用の明かり採りでは、明かり採りフレーム３０及び被覆板３６が折板２４の山部２４ｂの側面に対応して位置する延長部３２ａ，３６ａにおいて、複数のネジ３７及びナット３８により互いに固定されている。このため、被覆板３６を明かり採りフレーム３０に対して簡単に着脱することができて、折板用の明かり採りの施工及びメンテナンスを一層容易に行うことができる。
【００３０】
（５）  この実施形態においては、被覆板３６が採光板３４に対して近接して配置されている。このため、経年変化等を原因とした被覆板３６の下方への認識できるような湾曲変形を適切に防止できる。
【００３１】
（６）  この実施形態においては、ネジ３７及びナット３８により被覆板３６等を固定する構造において、ネジ３７の頭部が外面側となるように配置されている。このため、屋根２３の傾斜に沿って積雪を円滑に落とすことができる。これに対し、ナット３８を外面側にした場合は、ナット３８以外にネジ３７の先端部も外側に突出することになり、積雪が落下しにくくなる。
【００３２】
（第２実施形態）
次に、この発明を具体化した折板用の明かり採りの第２実施形態を、前記第１実施形態と異なる部分を中心に説明する。
【００３３】
さて、この第２実施形態においては、図１１及び図１２に示すように、採光板３４が明かり採りフレーム３０の下端側に位置して、明かり採りフレーム３０の横枠部３３上にその上端縁から下方に離間した状態で支持されている。そして、採光板３４を支持した明かり採りフレーム３０が屋根２３の開口２５に配置された状態で、その上面に被覆板３６が被覆装着されたとき、採光板３４と被覆板３６との間に所定の空間４８が形成されるようになっている。
【００３４】
従って、この第２実施形態においては、前記第１実施形態の（１）〜（４）及び（６）の効果に加えて、以下の効果を得ることができる。
（７）  この第２実施形態においては、採光板３４と被覆板３６との間に空間４８が設けられているため、その空間４８により大きな容量の空気層を確保することができて、高い断熱性能を得ることができる。また、寒冷地においては、空間４８を設けたことにより、採光板３４の内面側と外面側との温度差を抑制することができて、温度差により採光板３４の内面に結露が発生するおそれを防止することができる。
【００３５】
（第３実施形態）
次に、この発明を具体化した折板用の明かり採りの第３実施形態を、前記第１実施形態と異なる部分を中心に説明する。
【００３６】
さて、この第３実施形態においては、図１４及び図１５に示すように、採光板３４が、ポリカーボネート等の耐火ガラスよりなるとともに、内部に例えば菱形ワイヤーよりなる金網４９を埋設した網入りガラス板（例えば６．８ｍｍの板厚）から構成されている。図１３〜図１５に示すように、被覆板３６は幅方向の中央部が山形状（実施形態では１２０度の鈍角状）をなすように形成され、その両側縁に延長部３６ａ及び折り曲げ部３６ｂがそれぞれ形成されている。そして、この被覆板３６が支持枠５０上に支持された状態で押さえ枠５１とともに、複数のネジ３７及びナット３８により、明かり採りフレーム３０の縦枠部３２の延長部３２ａ上に固定されている。
【００３７】
図１３〜図１５に示すように、前記支持枠５０は、被覆板３６の延長部３６ａに沿って延びる一対の縦枠部５０ａと、両縦枠部５０ａ間に所定間隔おきで架設された複数の山形状の支持部５０ｂとから構成されている。前記押さえ枠５１は、被覆板３６の延長部３６ａに沿って延びる一対の縦枠部５１ａと、両縦枠部５１ａ間に所定間隔おきで架設された複数の山形状の押さえ部５１ｂとから構成されている。前記延長部３６ａと縦枠部５１ａとの間には、前記補強板４６が介在されている。そして、被覆板３６の延長部３６ａ及び補強板４６が支持枠５０及び押さえ枠５１の両縦枠部５０ａ，５１ａ間に挟持された状態で、それらの部分３６ａ，５０ａ，５１ａが前記ネジ３７及びナット３８により、明かり採りフレーム３０の縦枠部３２の延長部３２ａ上に固定されている。これにより、被覆板３６の山形状部分が支持枠５０の支持部５０ｂと押さえ枠５１の押さえ部５１ｂとの間に挟持された状態で、採光板３４の上方に空間４８をおいて配置されている。
【００３８】
図１３及び図１５に示すように、前記被覆板３６の山形状部分の両端縁には、被覆板３６の両端縁を閉塞するための一対の山形状のキャップ５２が図示しない複数のネジにより取り付けられている。各キャップ５２の外周縁と被覆板３６の山形状部分との接合面間には、図示しないシール材が充填されている。また、図１５に示すように、傾斜方向Ｐの上方側に位置するキャップ５２の下端縁と雨カバー４５の端縁との間には、シール材５３が充填されている。図１５に示すように、前記水止め板３９の上端縁と、該板３９に近接した横枠部３３との間にもシール材５３が介在されている。
【００３９】
図１４に示すように、前記採光板３４の左右両側部は、前記フレーム３０の縦枠部３２の上端面に支持されている。この採光板３４の両側部の上面は、前記支持枠５０の縦枠部５０ａと縦枠部３２の延長部３２ａとの間に前記ネジ３７によって挟着された押圧板５４により下方に押圧されている。
【００４０】
従って、この第３実施形態においては、前記第１実施形態の（１）〜（４），（６）の効果及び第２実施形態の（７）の効果に加えて、以下の効果を得ることができる。
（８）  この第３実施形態においては、被覆板３６が山形状に形成されているため、寒冷地において被覆板３６の外面に積もる雪を山形状部分の斜面に沿って自然落下させることができる。従って、空間４８の温度が雪によって低下するのが防止され、採光板３４の内外面の温度差を抑制し、結露を効果的に防止することができる。
【００４１】
（変更例）
なお、この実施形態は、次のように変更して具体化することも可能である。
・  図２及び図４（ａ）に鎖線で示すように、前記実施形態において、折板用の明かり採りの両側に位置する一対の折板片２４Ａの山部２４ｂ間に押さえ部材５５を架設して、その押さえ部材５５により被覆板３６を押圧保持するように構成すること。
【００４２】
・  前記実施形態において、明かり採りフレーム３０を骨格としての梁２１に固定すること。
・  前記実施形態において、開口２５を隣接配置された複数枚の折板片２４Ａに跨るように幅広状に形成すること。
【００４３】
（他の技術的思想）
前記実施形態から把握され、請求項に記載されていない技術的思想は以下の通りである。
【００４４】
（Ａ）  採光板３４の上面と明かり採りフレーム３０の上端とを同一高さに形成し、被覆板３６を明かり採りフレーム３０に支持したことを特徴とする請求項１〜３のうちのいずれか一項に記載の折板用の明かり採り。このように構成すれば、採光板３４及び被覆板３６の結露を少なくすることができる。
【００４５】
（Ｂ）  被覆板３６の傾斜方向上部側端部を含む屋根２３の山部２４ｂ間を雨カバー４５の傾斜方向下部側端部により覆い、雨カバー４５の傾斜方向上部側端部を閉鎖したことを特徴とする請求項１〜３，前記技術的思想（Ａ）項のうちのいずれか一項に記載の折板用の明かり採り。このように構成すれば、屋根２３の開口２５に対する雨の侵入を防止できる。
【符号の説明】
【００４６】
２１…建物の骨格としての梁、２３…屋根、２４…折板、２４Ａ…折板片、２４ａ…谷部、２４ｂ…山部、２５…開口、３０…明かり採りフレーム、３２…縦枠部、３２ａ…延長部、３３…横枠部、３４…採光板、３６…被覆板、３６ａ…延長部、３７…ネジ、３８…ナット、４８…空間。
【図１】
0005226740.tif 000002
【図２】
0005226740.tif 000003
【図３】
0005226740.tif 000004
【図４】
0005226740.tif 000005
【図５】
0005226740.tif 000006
【図６】
0005226740.tif 000007
【図７】
0005226740.tif 000008
【図８】
0005226740.tif 000009
【図９】
0005226740.tif 000010
【図１０】
0005226740.tif 000011
【図１１】
0005226740.tif 000012
【図１２】
0005226740.tif 000013
【図１３】
0005226740.tif 000014
【図１４】
0005226740.tif 000015
【図１５】
0005226740.tif 000016